(57)【要約】【課題】簡易な入力操作が可能で操作性を向上させるとともに、装置寿命を長期間維持すること。【解決手段】デジタルカメラ１００において、タッチ操作による押下入力および押圧入力が可能なタッチ入力部１１０と、画像および指示位置を示すシンボルを表示可能な液晶モニタ１２０と、押下入力があった場合に、押下位置の絶対位置を検出する絶対位置検出部５０１と、連続する押圧入力があった場合に、押圧位置の移動量を検出する移動量検出部５０２と、連続する押圧入力があった場合に、押圧位置の移動速度検出する移動速度検出部５０３と、絶対位置と移動量と移動速度に基づいて液晶モニタ１２０に対するシンボルの表示制御を行う表示制御部５０５とを備えた。【選択図】        図５
2008077229.tif 000002
【特許請求の範囲】
【請求項１】
タッチ操作による押下入力および押圧入力が可能な入力部と、
画像および指示位置を示すシンボルを表示可能な表示部と、
前記押下入力があった場合に、押下位置の絶対位置を検出する絶対位置検出部と、
連続する前記押圧入力があった場合に、押圧位置の移動量を検出する移動量検出部と、
前記絶対位置と前記移動量とに基づいて前記表示部に対する前記シンボルの表示制御を行う表示制御部と、
を備えたことを特徴とする表示入力装置。
【請求項２】
連続する前記押圧入力があった場合に、押圧位置の移動速度を検出する移動速度検出部、を更に備え、
前記表示制御部は、さらに、前記移動速度に基づいて前記表示部に対する前記シンボルの表示制御を行うことを特徴とする請求項１に記載の表示入力装置。
【請求項３】
前記入力手段は、
前記押下入力および前記押圧入力による静電容量の変化を検知する静電部材と、
前記静電部材における前記押下入力を検出するスイッチ部材と、を備え、
前記絶対位置検出部は、前記スイッチ部材で検出された前記押下入力に基づいて前記絶対位置を検出し、
前記移動量検出部は、前記静電部材により検知された前記静電容量の変化に基づいて前記移動量を検出し、
前記移動速度検出部は、前記静電部材により検知された前記静電容量の変化に基づいて前記移動速度を検出することを特徴とする請求項２に記載の表示入力装置。
【請求項４】
前記静電部材に埋め込まれた複数の点灯部と、
前記絶対位置に基づいて前記複数の点灯部の点灯制御を行う点灯制御部と、
を更に備えたことを特徴とする請求項３に記載の表示入力装置。
【請求項５】
前記入力部は、前記表示入力装置を操作者が保持した場合における前記操作者の親指位置の近傍に設けられていることを特徴とする請求項１〜４のいずれか一つに記載の表示入力装置。
【請求項６】
タッチ操作による押下入力および押圧入力が可能な入力部と、および指示位置を示すシンボルを表示可能な表示部とを備えた表示入力装置で実行される表示入力方法であって、
前記押下入力があった場合に、押下位置の絶対位置を検出する絶対位置検出工程と、
連続する前記押圧入力があった場合に、押圧位置の移動量を検出する移動量検出工程と、
前記絶対位置と前記移動量とに基づいて前記表示部に対する前記シンボルの表示制御を行う表示制御工程と、
を含むことを特徴とする表示入力方法。
【請求項７】
請求項６に記載の方法をコンピュータに実行させるプログラム。
【発明の詳細な説明】
【技術分野】
【０００１】
本発明は、タッチ操作による入力を行って画像を表示する表示入力装置、方法およびプログラムに関する。
【背景技術】
【０００２】
従来の表示入力装置を適用したデジタルカメラにおいては、操作者は、カメラに内蔵されたＴＦＴモニタ等の液晶表示部を見ながら、液晶表示部の隣に設けられた電子ダイヤルや操作ボタン若しくはステック状の操作部材を操作して、複雑かつ多種多様なメニューの中から必要な撮影モードやカスタム機能を設定するようになっている（例えば、特許文献１、特許文献２参照）。
【０００３】
このようなデジタルカメラを含む小型情報機器においては、近年、機能が高度化かつ複雑化してきている。そして、このような高度化および複雑化した種々の機能を設定するために、メニューの移動を指示する十字キーと設定を確定する確定ボタンの組み合わせが広く使われている。
【０００４】
【特許文献１】特開平０６−０６７７８７号公報
【特許文献２】特開２００３−１８６１００号公報
【発明の開示】
【発明が解決しようとする課題】
【０００５】
しかしながら、このような従来の表示入力装置を適用した小型情報機器では、十字キーと確定ボタンにより機能の選択や設定を行っているので、近年の高度化かつ複雑化した多数のメニュー項目を指示するために十字キーを多数回押下し、目的とするメニューまで指示位置を移動しなければならなくなり、操作者の操作負担が過大になるという問題がある。特に、デジタルカメラで撮影を行う際に、このような多数回の十字キーの移動等が必要になると、撮影タイミングを逃してしまうおそれがある。
【０００６】
また、近年の近年のデジタルカメラ等の小型情報機器においては、携帯性の向上という操作者のニーズから筐体の小型化が進んでいる。一方、小型情報機器において操作者の見やすさを考慮して、液晶表示部が大型化しているという傾向がある。その結果、小型情報機器の筐体に操作ボタン等の配置面積が確保できなくなり、操作ボタン類も小型化し、狭い配置場所に密集している。このため、小型情報機器の携帯性は向上するが、操作者は小さい筐体かつ小さい操作部で所望の操作を行わなければならず、操作性が低下している問題がある。特に指が大きい操作者がこのような小さい筐体かつ小さい操作部の小型情報機器を操作する場合、誤った操作を行いやすい。
【０００７】
また、従来の十字キーを設けた小型情報機器では、十字キーには少なくとも４点の接点が設けられて機械的な部品を使う必要があり、長年の継続使用による部品の磨耗または接点不良などが生じてしまう。
【０００８】
本発明は、上記に鑑みてなされたものであって、簡易な入力操作が可能で操作性を向上させるとともに、装置寿命を長期間維持することができる表示入力装置、方法およびプログラムを提供することを目的とする。
【課題を解決するための手段】
【０００９】
上述した課題を解決し、目的を達成するために、本発明は、タッチ操作による押下入力および押圧入力が可能な入力部と、および指示位置シンボルを表示可能な表示部と、前記押下入力があった場合に、押下位置の絶対位置を検出する絶対位置検出部と、連続する前記押圧入力があった場合に、押圧位置の移動量を検出する移動量検出部と、前記絶対位置と前記移動量とに基づいて前記表示部に対する前記シンボルの表示制御を行う表示制御部と、を備えたことを特徴とする。
【００１０】
また、本発明は、連続する前記押圧入力があった場合に、押圧位置の移動速度を検出する移動速度検出部、を更に備え、前記表示制御部は、さらに、前記移動速度に基づいて前記表示部に対する前記シンボルの表示制御を行うことを特徴とする。
【００１１】
また、本発明は、前記入力手段は、前記押下入力および前記押圧入力による静電容量の変化を検知する静電部材と、前記静電部材における前記押下入力を検出するスイッチ部材と、を備え、前記絶対位置検出部は、前記スイッチ部材で検出された前記押下入力に基づいて前記絶対位置を検出し、前記移動量検出部は、前記静電部材により検知された前記静電容量の変化に基づいて前記移動量を検出し、前記移動速度検出部は、前記静電部材により検知された前記静電容量の変化に基づいて前記移動速度を検出することを特徴とする。
【００１２】
また、本発明は、前記静電部材に埋め込まれた複数の点灯部と、前記絶対位置に基づいて前記複数の点灯部の点灯制御を行う点灯制御部と、を更に備えたことを特徴とする。
【００１３】
また、本発明は、前記入力部は、前記表示入力装置を操作者が保持した場合における前記操作者の親指位置の近傍に設けられていることを特徴とする。
【００１４】
また、本発明は、タッチ操作による押下入力および押圧入力が可能な入力部と、および指示位置を示すシンボルを表示可能な表示部とを備えた表示入力装置で実行される表示入力方法であって、前記押下入力があった場合に、押下位置の絶対位置を検出する絶対位置検出工程と、連続する前記押圧入力があった場合に、押圧位置の移動量を検出する移動量検出工程と、前記絶対位置と前記移動量とに基づいて前記表示部に対する前記シンボルの表示制御を行う表示制御工程と、を含むことを特徴とする。
【００１５】
また、本発明は、上記方法をコンピュータに実行させるプログラムである。
【発明の効果】
【００１６】
本発明によれば、押下入力があった場合に、押下位置の絶対位置を検出し、連続する押圧入力があった場合に、押圧位置の移動量および移動方向を検出し、絶対位置と移動量とに基づいて表示部に対するシンボルの表示制御を行うことで、簡易な入力操作が可能で操作性を向上させるとともに、装置寿命を長期間維持することができるという効果を奏する。
【００１７】
また、本発明によれば、静電部材に埋め込まれた複数の点灯部を、絶対位置に基づいて点灯制御することで、操作者が選択した内容を容易に把握することができるという効果を奏する。
【００１８】
また、本発明によれば、入力部が表示入力装置を操作者が保持した場合における操作者の親指位置の近傍に設けられていることで、親指の大きい操作者でも誤操作の可能性が低減するという効果を奏する。
【００１９】
また、本発明によれば、表示入力装置の外面に配置するボタン等の数を減少させることができ、初心者の操作者に対して操作が困難であるという印象を払拭することができるという効果を奏する。
【００２０】
また、本発明によれば、ボタン等の部品点数が削減されるため、製造コストの低減が図られるとともに、部品の摩耗や接点不良も低減することができ、装置寿命を長期間維持することが可能となり、装置の信頼性向上を図ることができるという効果を奏する。
【発明を実施するための最良の形態】
【００２１】
以下に添付図面を参照して、この発明にかかる表示入力装置、方法およびプログラムの最良な実施の形態を詳細に説明する。本実施の形態は、本発明にかかる表示入力装置、方法およびプログラムをデジタルカメラの操作部および液晶表示部に適用したものである。なお、本発明は、デジタルカメラに適用することに限定されるものではなく、表示および入力を行う装置であればいずれの装置にも適用することができる。
【００２２】
図１は、本実施の形態にかかるデジタルカメラの背面図である。デジタルカメラの背面には、図１に示すように、液晶モニタ１２０（表示部）と、タッチ入力部１１０（入力部）が配置されている。
【００２３】
液晶モニタ１２０は、デジタルカメラで撮像した画像や撮影のための機能設定のメニュー、各メニュー項目および各メニュー項目における各種設定内容や設定内容の選択や設定のための指示位置を示すシンボルを表示するモニタである。ここで、シンボルとは、アイコン等のイメージを含む広い概念であり、アイコンとは、表示画面上に、各種のデータや処理機能を絵又は絵文字として表示したものをいう。
【００２４】
タッチ入力部１１０は、メニューの表示の指示入力、各メニュー項目および各メニュー項目における各種設定内容や設定内容の選択や設定のための指示をタッチ入力操作を行うものである。タッチ入力部１１０は、図１に示すように、デジタルカメラ１００を操作者が保持した場合における操作者の右手親指位置の近傍に設けられている。このため、親指の大きい操作者でも誤操作の可能性が低減する。なお、タッチ入力操作としては、操作者がタッチ入力部１１０の入力面（静電パッド）に指をタッチして入力する操作の他、タッチペンなどの入力補助具を入力面にタッチして入力する操作も含まれる。
【００２５】
タッチ入力部１１０には、選択されているメニューを視覚的に示す点灯部材としての４個のＬＥＤ１１１が四隅に埋め込まれている。４個のＬＥＤ１１１は、それぞれメニューの各項目に対応して設けられている。図１のタッチ入力部１１０における左上のＬＥＤ１１１（ＡＤＪ）は、操作者が好んで使用するメニューを液晶モニタ１２０に表示するアジャストメニュー、右上のＬＥＤ１１１はマクロ撮影メニュー、左下のＬＥＤ１１１はフラッシュのメニュー、右下のＬＥＤ１１１はタイマーのメニューにそれぞれ対応する。
【００２６】
そして、タッチ入力部１１０の中央部にある「ＭＥＮＵ」を押下して、その後それぞれのＬＥＤ１１１の位置でタッチ入力部１１０を押下することにより、対応するメニューが液晶モニタ１２０に表示されるとともに、押下した位置のＬＥＤ１１１（すなわち、押下したメニューに対応するＬＥＤ１１１）が点灯するようになっている。
【００２７】
次に、タッチ入力部１１０の詳細な構造について説明する。図２は、タッチ入力部１１０の部材構成を示す分解斜視図である。図３は、タッチ入力部１１０の構造を示す断面図である。
【００２８】
タッチ入力部１１０は、図２および図３に示すように、基板１１６上にセンサ１１５を介してタクトスイッチ１１４が設けられ、このタクトスイッチ１１４が支持部材１１３に連結されている。そして、支持部材１１３上に静電パッド１１２が装着されている。
【００２９】
静電パッド１１２は、タッチ入力部１１０の表面に現れ、ＬＥＤ１１１が埋め込まれている。この静電パッド１１２は、操作者がその表面を基板１１６方向に押下または押圧すると、その表面が変形するが、表面の変更に伴う電容量の変化を検出し、変形した静電パッド１１２上の位置と静電容量の変化量を示す第１検知信号を出力するものである。静電パッドには、電極（図示せず）が設けられており、かかる電極によって静電容量の変化量と変形位置を検出して第１検知信号として出力している。静電パッド１１２の電極は、この第１検知信号の送出するため、後述する制御コントローラにＡ／Ｄ変換器を介して接続されている。
【００３０】
タクトスイッチ１１４は、操作者によって静電パッド１１２の四隅のＬＥＤ１１１または中央部の「ＭＥＮＵ」（図１参照）が押下された場合に、その押下を検出するスイッチである。静電パッド１１２が押下されると、押下による圧力は支持部材１１３を介してタクトスイッチに伝達される。タクトスイッチ１１４の下部には端子が内蔵されており、静電パッド１１２が押下されると、この端子の動きをセンサ１１５が感知して、押下された旨を示す第２検知信号を後述する制御コントローラに出力する。このため、このセンサ１１５も制御コントローラにＡ／Ｄ変換器を介して接続されている。
【００３１】
なお、タッチ入力部１１０の中央部、四隅のいずれかの位置が押下されたかは、この第２検知信号と静電パッド１１２の電極から出力される第１検知信号（変形位置と静電容量の変化量の信号）とによって制御コントローラで検知される。
【００３２】
次に、本実施の形態にかかるデジタルカメラの表示入力処理のための電気的構成について説明する。図４は、本実施の形態にかかるデジタルカメラの表示入力処理のための電気的構成を示すブロック図である。
【００３３】
タッチ入力部１１０は、第１検知信号および第２検知信号をＡ／Ｄ変換してデジタル信号を出力するＡ／Ｄ変換器４０５に接続されており、このＡ／Ｄ変換器４０５は、制御コントローラ４００に接続されている。また、タッチ入力部１１０の静電パッドに埋め込まれた４個のＬＥＤ１１１は、制御コントローラ４００に直接接続されている。
【００３４】
なお、以下において、Ａ／Ｄ変換後のデジタルの第１検知信号を単に第１検知信号といい、Ａ／Ｄ変換後のデジタルの第２検知信号を単に第２検知信号という。
【００３５】
制御コントローラ４００は、液晶モニタ１２０とメモリ４０６にも接続されており、液晶モニタ１２０への各種画像や各種メニュー等の表示を行う画像表示回路４０２と、撮影機能の設定を行う撮影機能設定回路４０３と、ＬＥＤ１１１の点灯を行うＬＥＤ点灯回路４０４と、これらの回路の制御を司るＣＰＵ４０１とを主に備えている。メモリ４０６には、各種設定内容、表示制御のための各種プログラムが格納されている。
【００３６】
ＣＰＵ４０１は、表示制御のための各種プログラムをメモリ４０６から読み出して、制御部として、絶対位置検出処理、移動量検出処理、移動速度検出処理、表示制御処理、ＬＥＤ点灯制御処理等の表示入力処理を実行する。
【００３７】
図５は、表示入力を行うための制御部（ＣＰＵ４０１）の機能的構成を示すブロック図である。図５に示すように、制御部は、絶対位置検出部５０１と、移動量検出部５０２と、移動速度検出部５０３と、ＬＥＤ点灯制御部５０４と、表示制御部５０５とを備えている。
【００３８】
絶対位置検出部５０１は、静電パッド１１２に押下入力があった場合に、第１検知信号（静電パッド１１２の変形位置と静電容量の変化量）と第２検知信号（押下）と押下位置の静電パッド１１２上での位置座標を算出し、算出された位置座標を絶対位置として検出する処理部である。
【００３９】
移動量検出部５０２は、第１検知信号が連続して出力された場合、連続する静電パッド１１２に対する押圧入力があったと判断して、第２検知信号が示す静電パッド１１２の変形位置と静電容量の変化量から、連続されて押圧された位置の位置座標をそれぞれ算出して、その位置座標の変化を求めて操作者による押圧位置の移動量および移動方向を算出する処理部である。
【００４０】
移動速度検出部５０３は、第１検知信号が連続して出力された場合、連続する静電パッド１１２に対する押圧入力があったと判断して、第２検知信号が示す静電パッド１１２の変形位置と静電容量の変化量から、連続されて押圧された位置の位置座標をそれぞれ算出して、その位置座標の移動と移動時間とから押圧位置の移動速度及び移動方向を算出する処理部である。
【００４１】
ＬＥＤ点灯制御部５０４は、絶対位置検出部５０１で求めた絶対位置から押下位置が静電パッド１１２の四隅のどの位置であるかを判断して、４個のＬＥＤ１１１の中で該当する１個ののＬＥＤの点灯指令をＬＥＤ点灯回路４０４に送出することによりＬＥＤ１１１の点灯制御を行う処理部である。
【００４２】
表示制御部５０５は、算出された絶対位置、移動量、移動方向、移動速度に基づいて画像表示回路４０２に対するメニュー画面やシンボルの表示指令を行うことにより、液晶モニタ１２０に対するメニュー画面やシンボルの表示制御を行う処理部である。
【００４３】
具体的には、表示制御部５０５は、静電パッド１１２上の押下された絶対位置が静電パッド１１２の四隅のいずれかであれば四隅に配置されたＬＥＤ１１１に対応する機能の設定メニュー画面を液晶モニタ１２０に表示し、絶対位置が静電パッド１１２上の中央位置である場合にはメニュー画面を液晶モニタ１２０に表示するように画像表示回路４０２に対する表示指令を行う。
【００４４】
また、表示制御部５０５は、検出された移動量の大きさに比例して画像のページめくりなどのめくり数を増大させるように画像表示回路４０２に対する表示指令を行う。また、表示制御部５０５は、検出された移動速度の大きさに比例して画像のページめくりなどのめくり数を増大させるように画像表示回路４０２に対する表示指令を行う。
【００４５】
次に、以上のように構成された本実施の形態にかかるデジタルカメラによる表示入力処理について説明する。図６は、本実施の形態の表示入力処理の手順を示すフローチャートである。
【００４６】
まず、絶対位置検出部５０１は、Ａ／Ｄ変換器４０５を介して静電パッド１１２から第１検知信号およびタクトスイッチ１１４から第２検知信号の受信待ちとなっている（ステップＳ１）。そして、第１検知信号および第２検知信号を検出した場合には（ステップＳ１：Ｙｅｓ）、押下されたと判断し、第１検知信号の静電パッド１１２の変形位置と静電容量の変化量から押下位置の静電パッド１１２上での位置座標を算出する（ステップＳ２）。
【００４７】
次に、表示制御部５０５は、算出された位置座標から、押下位置が静電パッド１１２の四隅のいずれか、もしくは中央位置かを判断して、押下位置に対応するメニューを決定し（ステップＳ３）、決定されたメニューのメニュー画面の表示指令を画像表示回路４０２に送出し、決定されたメニューのメニュー画面を液晶モニタ１２０に表示する（ステップＳ４）。そして、ＬＥＤ点灯制御部５０４は、押下位置が静電パッド１１２の四隅のいずれかであれば、該当するＬＥＤ１１１の点灯指令をＬＥＤ点灯回路５０４に送出する（ステップＳ５）。これにより、押下位置のＬＥＤ１１１が点灯することになる。
【００４８】
例えば、押下位置は静電パッド１１２の中央位置であれば、「ＭＥＮＵ」が選択されたと判断して初期メニュー画面を液晶モニタ１２０に表示する。また、押下位置が静電パッド１１２の四隅の図１における左上の位置であれば、「ＡＤＪ」が選択されたと判断してアジャストメニュー画面を液晶モニタ１２０に表示し、「ＡＤＪ」のＬＥＤ１１１が点灯する。例えば、図７に示すような各メニュー項目がマス目状に配されたメニュー画面が液晶モニタ１２０に表示されることになる。
【００４９】
この後、移動量検出部５０２および移動速度検出部５０３は、第１検知信号の受信待ちとなる（ステップＳ６）。そして、第１検知信号を連続的に受信した場合には（ステップＳ６：Ｙｅｓ）、移動量検出部５０２および移動速度検出部５０３は、静電パッド１１２上で操作者による押圧操作が移動させながら行われたと判断し、移動中のそれぞれの位置の位置座標もしくは移動開始時（第１検知信号受信開始時）と移動終了時（第１検知信号受信終了時）の各位置の位置座標を算出する（ステップＳ７）。そして、移動量検出部５０２は、算出された移動開始時の位置座標と移動終了時の位置座標の距離から操作者の押圧による移動量と移動方向を算出する（ステップＳ８）。
【００５０】
また、移動速度検出部５０３によって、算出された移動開始時の位置座標と移動終了時の位置座標との距離を求め、その距離を移動開始時から移動終了時までの時間で除算することにより、操作者の押圧による移動速度と移動方向を算出する（ステップＳ９）。
【００５１】
そして、表示制御部５０５によって、算出された移動量と移動速度に基づいてシンボルの表示制御が行われる（ステップＳ１０）。
【００５２】
例えば、表示制御部５０５は、上述のように、検出された移動量の大きさに比例して画面の送り量を増大させるように画像表示回路４０２に対する表示指令を行う。また、表示制御部５０５は、検出された移動速度の大きさに比例して画面の送り量を増大させるように画像表示回路４０２に対する表示指令を行う。
【００５３】
このように本実施の形態にかかるデジタルカメラ１００では、タッチ入力部１１０の静電パッド１１２に対して押下入力があった場合に、押下位置の絶対位置を検出し、静電パッド１１２に連続する押圧入力があった場合に、押圧位置の移動量と移動速度を検出し、絶対位置と移動量とに基づいて液晶モニタ１２０に対するシンボルの表示制御を行っているので、簡易な入力操作が可能で操作性を向上させるとともに、装置寿命を長期間維持することができる。
【００５４】
また、本実施の形態にかかるデジタルカメラ１００では、静電パッド１１２の指示位置に対応する部位に埋め込まれた複数のＬＥＤ１１１を、絶対位置に基づいて点灯制御しているので、操作者が選択した内容を容易に把握することができる。
【００５５】
また、本実施の形態にかかるデジタルカメラ１００では、デジタルカメラ１００の外面に配置するボタン等の数を減少させることができ、初心者の操作者に対して操作が困難であるという印象を払拭することができる。
【００５６】
さらに、本実施の形態にかかるデジタルカメラ１００では、ボタン等の部品点数が削減されるため、製造コストの低減が図られるとともに、部品の摩耗や接点不良も低減することができ、、装置寿命を長期間維持することが可能となり、装置の信頼性向上を図ることができる。
【００５７】
なお、本実施の形態にかかるデジタルカメラ１００で実行される表示入力処理プログラムは、メモリ４０６やＲＯＭ等に予め組み込まれて提供される。
【００５８】
本実施の形態にかかるデジタルカメラ１００で実行される表示入力処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５９】
さらに、本実施の形態にかかるデジタルカメラ１００で実行される表示入力処理プログラムを、インターネット等のネットワークに接続されたコンピュータ上に格納し、ネットワーク経由でダウンロードさせることにより提供するように構成しても良い。また、本実施の形態にかかるデジタルカメラ１００で実行される表示入力処理プログラムをインターネット等のネットワーク経由で提供または配布するように構成しても良い。
【００６０】
本実施の形態にかかるデジタルカメラ１００で実行される表示入力処理プログラムは、上述した各部（絶対位置検出部５０１、移動量検出部５０２、移動速度検出部５０３、ＬＥＤ点灯制御部５０４、表示制御部５０５）を含むモジュール構成となっており、実際のハードウェアとしてはＣＰＵ（プロセッサ）が上記メモリ４０６またはＲＯＭから表示入力処理プログラムを読み出して実行することにより上記各部が主記憶装置上にロードされ、絶対位置検出部５０１、移動量検出部５０２、移動速度検出部５０３、ＬＥＤ点灯制御部５０４、表示制御部５０５が主記憶装置上に生成されるようになっている。
【００６１】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。
【００６２】
なお、本実施の形態では、本発明の表示入力装置をデジタルカメラに適用した例を示したが、これに限定されるものではなく、携帯電話、携帯型音楽プレーヤ、ＰＤＡなど操作者の操作入力を行って画像等を表示する全ての機器に適用することができる。
【図面の簡単な説明】
【００６３】
【図１】本実施の形態にかかるデジタルカメラの背面図である。
【図２】タッチ入力部の部材構成を示す分解斜視図である。
【図３】タッチ入力部の構造を示す断面図である。
【図４】本実施の形態にかかるデジタルカメラの表示入力処理のための電気的構成を示すブロック図である。
【図５】表示入力を行うための制御部の機能的構成を示すブロック図である。
【図６】本実施の形態の表示入力処理の手順を示すフローチャートである。
【図７】メニュー画面の一例を示す模式図である。
【符号の説明】
【００６４】
１００  デジタルカメラ
１１０  タッチ入力部
１１１  ＬＥＤ
１１２  静電パッド
１１３  支持部材
１１４  タクトスイッチ
１１５  センサ
１２０  液晶モニタ
４００  制御コントローラ
４０１  ＣＰＵ
４０２  画像表示回路
４０３  撮影機能設定回路
４０４  ＬＥＤ点灯回路
４０５  Ａ／Ｄ変換器
４０６  メモリ
５０１  絶対位置検出部
５０２  移動量検出部
５０３  移動速度検出部
５０４  ＬＥＤ点灯回路
５０５  表示制御部
【図１】
2008077229.tif 000003
【図２】
2008077229.tif 000004
【図３】
2008077229.tif 000005
【図４】
2008077229.tif 000006
【図５】
2008077229.tif 000007
【図６】
2008077229.tif 000008
【図７】
2008077229.tif 000009